(57)【要約】【課題】電子黒板装置のデザイン上の制約になることなく、オプション機器の着脱、移動を容易に行うことが可能な電子黒板装置に関する。【解決手段】本発明は、上記課題を解決するため、本発明は、電子黒板装置或いは筆記ボードなどの本体の上側面及び右側面或いは左側面にオプション機器を配置、固定するためのレール状スリットを有することを特徴としている。また、本体の下側面にレール状スリットを有することを特徴としている。これらのレール状スリットは、正面からは見えないため、電子黒板装置などのデザイン上の制限とはならず、また簡易に、オプション機器の着脱が可能となる。【選択図】図１
2008296564.tif 000002
【特許請求の範囲】
【請求項１】
マーカーによって筆記される筆記用シートと、この筆記用シートを保持する本体とを有する電子黒板装置であって、前記本体の上側面及び右側面或いは左側面にオプション機器を配置、固定するためのレール状スリットを有することを特徴とする電子黒板装置。
【請求項２】
前記本体の下側面にオプション機器を配置、固定するためのレール状スリットを有することを特徴とする請求項１項記載の電子黒板装置。
【請求項３】
前記オプション機器は定規あることを特徴とする請求項１項記載の電子黒板装置。
【請求項４】
前記オプション機器はスクリーンあることを特徴とする請求項１項記載の電子黒板装置。
【請求項５】
前記オプション機器はプリンターを配置するための棚であることを特徴とする請求項２項記載の電子黒板装置。
【発明の詳細な説明】
【技術分野】
【０００１】本発明は、会議などに用いられる、筆記ボード或いは筆記ボードとプリンタとからなる電子黒板装置に関するものである。
尚、本発明においては、筆記面の読み取り装置を有する装置、及び有さない装置を含めて、電子黒板装置と称する。
【背景技術】
【０００２】従来の電子黒板装置は、白色の書込みシートに、マーカーで文字や図形を筆記すると共に、この筆記した表面を光学センサーにて画像情報として読み取り、読み取った画像情報を縮小して紙に印刷し、或いは記録する機能を有することを特徴としている。【０００３】電子黒板装置は、本来的に利用者がマーカーによって筆記し、イレイサーによってその筆記を消去するものであり、正確な直線や円形状などを描くことが困難である。
しかしながら、格子状の線や、直線、円形状の線を正確に引く定規が望まれている。【０００４】また、電子黒板装置を用いて議事録を作成しながら行う会議において、プロジェクタ装置が併用して用いられることがある。
例えば、パソコンで作成した書面の画像を、拡大して投影し参照すると共に、会議の議事録を電子黒板に筆記しながら会議を進行するような利用がされる。
このような会議の場合、プロジェクタ装置は専用の投影スクリーンに画像を投影し、議事録などの筆記は、マーカーを用いて電子黒板或いは筆記ボードに行われている。【０００５】
【特許文献１】特開平２００２−２５４８９３号
【発明の開示】
【発明が解決しようとする課題】
【０００６】上記特許文献１には、オプション機器を筆記用ボードに取り付けるための取付具が示されている。
これは、投影スクリーンや、電子ペンによる筆記情報を読み取りパソコン等にその情報を送信する装置などを、筆記用ボード上に固定するための取付具である。【０００７】しかしながら、このような取付具は、筆記用ボードにオプション機器を固定するものであるため、例えば投影スクリーンの位置を移動させるのが面倒である。
また、例えば、筆記ボードの所望の位置に直線を引くための定規などのオプション機器には利用が困難であるという問題があった。
【課題を解決するための手段】
【０００８】上記課題を解決するため、本発明は、電子黒板装置或いは筆記ボードなどの本体の上側面及び右側面或いは左側面にオプション機器を配置、固定するためのレール状スリットを有することを特徴としている。【０００９】また、本体の下側面にレール状スリットを有することを特徴としている。これらのレール状スリットは、正面からは見えないため、電子黒板装置などのデザイン上の制限とはならず、また簡易に、オプション機器の着脱が可能となる。
【発明の効果】
【００１０】本発明によれば、レール状スリットに、このレールに沿ってオプション機器を移動可能に配置可能とすることで、オプション機器の移動、取り外しが容易となる。
【発明を実施するための最良の形態】
【００１１】以下、本発明を実施するための最良の形態について、図面を参照して詳細に説明する。
【実施例】
【００１２】以下、図に沿って本発明の一実施例を説明する。
図１は本発明の一実施例を示す正面図である。
１は電子黒板本体、２は本体の表面において、マーカーによって書き込みを行う書込みシートであり、３は電子黒板本体１の上側面、下側面、右側面及び、左側面に設けられたレール状スリット、４はプロジェクタからの投影画像を映し出す投影スクリーン、５はこの投影スクリーンを収納するスクリーン収納部である。【００１３】スクリーン収納部５は、レール状スリット３に配置され、このレールに沿って移動可能とされている。【００１４】レール状スリット３の端部付近の構成を示す部分拡大図を図２に示し、このレール状スリット３に配置され、このレールに沿ってオプション機器を固定するためのオプション機器固定具８の主要部分を示す正面断面図を図３に示す。
レール状スリット３の端部はスリットの幅より広い幅を有する開口３１が設けられている。
オプション機器固定具８は、このスリット端の開口より狭い幅で、かつスリット幅より広い幅を有する止め具と、スリット幅より狭い直径の支柱を有し、先のスリット端の開口３１から止め具を挿入し、スリット３に沿って支柱を移動させることが可能な構造となっている。【００１５】また、このオプション機器固定具８の前記止め具及び支柱はバネを用いたストッパー６を構成し、支柱の端部をプッシュボタンとし、このプッシュボタンを押した場合、オプション機器がレールに沿って自由に移動され、所定の位置でプッシュボタンを離すと、バネにより止め具がレールを圧するように作用し、オプション機器がレールに固定される。【００１６】オプション機器は、オプション機器固定用ねじ８１によってオプション機器固定具８に固定される。
尚、オプション機器によっては、オプション機器本体にレール状スリットに配置するための部位を設けてもよい。
この場合は、このオプション機器固定具８は不要となる。【００１７】図４に電子黒板本体の左右側面に設けられたレール状スリットに、定規９を配置した実施例を示す。
この定規９は、本体の左右端のスリットに夫々配置される定規固定部１０と、この定規固定部１０間に渡って設けられ、定規固定部１０に回転可能に配置される直線状の定規部からなる。
尚、この直線状の定規部は、例えば巻尺のような構造を成し、張力をもって、左右の定規固定部を連結するように設けられている。
このため、例えば大きさの異なる電子黒板においても同一の定規が利用可能となっている。【００１８】また、こ定規固定部１０にはストッパー機能が設けられており、左右のレールに沿って自由に位置を移動し、固定される。このため、所望の角度の斜線を引くことも可能である。【００１９】尚、この定規９は、左右の定規固定部の内、片側だけ巻尺状に定規部が収納され、他端は、他方の定規固定部に単にフックされるような構造であってもよい。
この場合は、例えば、本体上のレール状スリットに、定規部が収納された定規固定部を配置し、この定規固定部から定規部を引き出して縦線を引くことが可能となる。【００２０】図５に本体右側面のレール状スリットに、時計付スピーカ１１を配置した実施例を示す。
この時計付スピーカは、例えば、会議時間を設定しておき、設定時間が経過した場合に、その旨知らせるような案内音声出力を行うものである。【００２１】図６に本体下側面のレール状スリットに、プリンタ配置台１２を配置した実施例を示す。
通常の電子黒板装置では、プリンタは、電子黒板装置に固定された位置しか配置することができない。
これに対し、本実施例装置のようなレール状スリットにプリンタ配置台１２を配置するような構成の場合、電子黒板本体の右側、左側、或いは中央と、所望の位置にプリンタを配置することが可能となる。
また、プリンタが不要となった場合、プリンタ配置台１２を取外し、電子黒板装置をシンプルなデザインで使用することが可能となる。【００２２】本発明は、上述の実施例に限定されるものではなく、例えば、レール状スリットの形状、特に端部の開口形状はこれに限定されるものではない。また、オプション機器は、投影スクリーン、定規、或いはプリンタ配置台に限定されるものではなく、例えば、マーカーやイレイサーの収納ケース、音声出力用スピーカー、時計、フラットパネルディスプレイなどであってもよい。
【産業上の利用可能性】
【００２３】本発明は、電子黒板装置や筆記ボードなどのデザインを損ねることなく、オプション機器を自由度を持って配置可能とすることで、電子黒板装置などの利用範囲を拡大することが可能となる。
【図面の簡単な説明】
【００２４】
【図１】図１は、本発明の実施例の形態に係る主要な構成を示す正面図である。
【図２】図２は、本発明の実施例のレール状スリットを表した部分拡大図である。
【図３】図３は、本発明の実施例のオプション機器固定具の正面断面図である。
【図４】図４は、本発明の実施例のオプション機器として定規を配置した状態を示す正面図である。
【図５】図５は、本発明の実施例のオプション機器としてスピーカを配置した状態を示す正面図である。
【図６】図６は、本発明の実施例のオプション機器としてプリンタ配置台を配置した状態を示す正面図である。
【符号の説明】
【００２５】１：電子黒板本体
２：書込みシート
３：レール状スリット
４：オプション機器としての投影スクリーン
９：オプション機器としての定規
１２：オプション機器としてのプリンタ配置台
【図１】
2008296564.tif 000003
【図２】
2008296564.tif 000004
【図３】
2008296564.tif 000005
【図４】
2008296564.tif 000006
【図５】
2008296564.tif 000007
【図６】
2008296564.tif 000008